(57)【要約】【課題】需要が減った既設の駐車装置を有効活用することにより駐車装置の解体を回避する。【解決手段】既設の立体駐車装置を改造した立体墓地装置２０は、車両収容部５と、搬送装置９と、搬送装置９を制御する制御装置１２と、立体墓地装置２０へお墓参りに来た利用者の識別情報の入力を受ける入力装置とを備える。立体墓地装置２０では、車両収容部５に、複数の利用者の墓用構造物２が収容されている。入力装置は、識別情報の入力を受けると識別情報を制御装置１２へ出力する。制御装置１２は、入力装置からの識別情報に対応する墓用構造物２を車両収容部５から入庫スペース７へ移動させるように搬送装置９を制御する。【選択図】図３
2017031736.tif 000002
【特許請求の範囲】
【請求項１】
既設の立体駐車装置を改造することにより構成された立体墓地装置であって、
既設の立体駐車装置は、入庫してきた自動車を収容可能な車両収容部と、車両収容部から入庫スペースへ且つその逆に自動車を移動させる搬送装置とを備えるものであり、
前記立体墓地装置は、前記車両収容部と、前記搬送装置と、前記搬送装置を制御する制御装置と、立体墓地装置へお墓参りに来た利用者の識別情報の入力を受ける入力装置とを備え、
前記立体墓地装置では、車両収容部に、複数の利用者の墓用構造物が収容されており、
前記入力装置は、前記識別情報の入力を受けると該識別情報を前記制御装置へ出力し、
前記制御装置は、前記入力装置からの前記識別情報に対応する墓用構造物を車両収容部から入庫スペースへ移動させるように前記搬送装置を制御する、ことを特徴とする立体墓地装置。
【請求項２】
前記墓用構造物は、墓用パレットと、墓用パレット上に設けた墓構成体とを含む、ことを特徴とする請求項１に記載の立体墓地装置。
【請求項３】
利用者の端末装置から送信された墓参りの予約申込データを受ける墓参り予約受付装置と、
墓参りスケジュールを記憶するスケジュール記憶装置と、を備え、
墓参り予約受付装置は、受けた予約申込データを、スケジュール記憶装置に記憶されている墓参りスケジュールに組み入れ、
墓参りスケジュールに基づく予約状況データを作成し、予約状況データを各利用者の端末装置に送信し、または、インターネット上の指定サイトにアップロードする予約状況通知装置を備える、ことを特徴とする請求項１または２に記載の立体墓地装置。
【請求項４】
前記予約申込データは、利用者の識別情報を含み、
墓参り予約受付装置は、予約申込データを受ける度に、該予約申込データのための墓参り時間を、墓参りスケジュールにおいて既に組み入れられている最後の予約時間帯の直後に組み入れ、
前記予約状況データは、次に墓参りが可能となる時刻を示す利用可能時刻データを含む、ことを特徴とする請求項３に記載の立体墓地装置。
【請求項５】
前記予約申込データは、立体墓地装置へ墓参りする日時と、利用者の識別情報とを含み、
墓参り予約受付装置は、受けた予約申込データの前記日時をスケジュール記憶装置に記憶されている墓参りスケジュールに組み入れ、
前記予約状況データは、墓参りが可能な日時を示す利用可能日時データを含む、ことを特徴とする請求項３に記載の立体墓地装置。
【発明の詳細な説明】
【技術分野】
【０００１】
本発明は、既設の立体駐車装置を改造することにより構成された立体墓地装置に関する。
【背景技術】
【０００２】
既設の立体駐車装置は、自動車が積載される複数のパレットと、複数のパレットを収容可能な車両収容部と、車両収容部から入庫スペースへ且つその逆にパレットを移動させる搬送装置と、搬送装置を制御する制御装置とを備える。車両収容部は、例えば、鉛直方向に多段に配置された多数の駐車棚上のスペースである。このような駐車装置は、例えば下記の特許文献１に記載されている。
【０００３】
駐車装置への入庫は次のように行われる。まず、制御装置の制御により、搬送装置が、自動車の積載されていないパレットを車両収容部から入庫スペースへ移動させる。駐車装置へ入庫する自動車が、入庫スペースに移動したパレットに乗り入れる。自動車から人が降りた後に、搬送装置が、この自動車の積載されたパレットを車両収容部へ移動させる。
駐車装置への出庫は次のように行われる。まず、駐車装置の利用者が、駐車装置の制御装置に対して自身の自動車を出庫させる旨を入力する。制御装置の制御により、搬送装置が、該当する自動車が積載されたパレットを車両収容部から出庫スペース（例えば入庫スペースと同じスペース）へ移動させる。出庫スペースへ移動してきた自動車に人が乗り込む。人の運転で、この自動車がパレットから乗り出して出庫する。
【先行技術文献】
【特許文献】
【０００４】
【特許文献１】特開２０１１−１９０５６８号公報
【発明の概要】
【発明が解決しようとする課題】
【０００５】
近年、自動車を保有している人の数が減少してきていることに伴って、駐車装置の需要も減少してきている。
そのため、需要が減った既設の駐車装置を解体することがある。このような駐車装置の解体は年々増加している。
【０００６】
上記を鑑みて、本発明の目的は、需要が減った既設の駐車装置を有効活用することにより駐車装置の解体を回避することにある。
【課題を解決するための手段】
【０００７】
上述の目的を達成するため、本発明によると、既設の立体駐車装置を改造することにより構成された立体墓地装置であって、
既設の立体駐車装置は、入庫してきた自動車を収容可能な車両収容部と、車両収容部から入庫スペースへ且つその逆に自動車を移動させる搬送装置とを備えるものであり、
前記立体墓地装置は、前記車両収容部と、前記搬送装置と、前記搬送装置を制御する制御装置と、立体墓地装置へお墓参りに来た利用者の識別情報の入力を受ける入力装置とを備え、
前記立体墓地装置では、車両収容部に、複数の利用者の墓用構造物が収容されており、
前記入力装置は、前記識別情報の入力を受けると該識別情報を前記制御装置へ出力し、
前記制御装置は、前記入力装置からの前記識別情報に対応する墓用構造物を車両収容部から入庫スペースへ移動させるように前記搬送装置を制御する、ことを特徴とする立体墓地装置が提供される。
【０００８】
上述の立体墓地装置は、例えば以下のように構成できる。
【０００９】
前記墓用構造物は、墓用パレットと、墓用パレット上に設けた墓構成体とを含む。このように墓用パレットを用いることにより、墓構成体（例えば墓石）の設置が容易になる。
【００１０】
上述の立体墓地装置は、
利用者の端末装置から送信された墓参りの予約申込データを受ける墓参り予約受付装置と、
墓参りスケジュールを記憶するスケジュール記憶装置と、を備え、
墓参り予約受付装置は、受けた予約申込データを、スケジュール記憶装置に記憶されている墓参りスケジュールに組み入れ、
墓参りスケジュールに基づく予約状況データを作成し、予約状況データを各利用者の端末装置に送信し、または、インターネット上の指定サイトにアップロードする予約状況通知装置を備える。
【００１１】
予約状況通知装置は、墓参りスケジュールに基づく予約状況データを作成し、各利用者の端末装置に送信し、または、インターネット上の指定サイトにアップロードする。
したがって、各利用者は、予約状況データを確認して、端末装置の操作により、予約申込データを入力して、この予約申込データを墓参り予約受付装置へ送信できる。
【００１２】
前記予約申込データは、利用者の識別情報を含み、
墓参り予約受付装置は、予約申込データを受ける度に、該予約申込データのための墓参り時間を、墓参りスケジュールにおいて既に組み入れられている最後の予約時間帯の直後に組み入れ、
前記予約状況データは、次に墓参りが可能となる時刻を示す利用可能時刻データを含む。
【００１３】
この構成では、各利用者は、次に墓参りが可能となる時刻を示す利用可能時刻データを考慮して、端末装置により予約申込データを入力するかどうかを判断できる。
【００１４】
前記予約申込データは、立体墓地装置へ墓参りする日時と、利用者の識別情報とを含み、
墓参り予約受付装置は、受けた予約申込データの前記日時をスケジュール記憶装置に記憶されている墓参りスケジュールに組み入れ、
前記予約状況データは、墓参りが可能な日時を示す利用可能日時データを含む。
【００１５】
この構成では、各利用者は、墓参りが可能な日時を示す利用可能日時データを考慮して、端末装置により、墓参りする日時を入力して、この日時を含む予約申込データを送信できる。
【発明の効果】
【００１６】
上述した本発明によると、既設の立体駐車装置に設けられた車両収容部に複数の利用者の墓用構造物を設置し、利用者の識別情報が入力されると、制御装置は、搬送装置を制御することにより、入力装置からの識別情報に対応する墓用構造物を車両収容部から入庫スペースへ移動させる。
したがって、利用者は、入庫スペースへ移動してきた墓用構造物に対して墓参りできる。
このように既設の立体駐車装置を有効活用できるので、需要が減った立体駐車装置の解体を回避できる。
【図面の簡単な説明】
【００１７】
【図１】本発明が適用可能な既設の立体駐車装置の一例を示す。
【図２】図１のＩＩ−ＩＩ矢視図である。
【図３】本発明の第１実施形態による立体墓地装置の構成を示す。
【図４】図３のＩＶ−ＩＶ矢視図である。
【図５】本発明の第１実施形態による立体墓地装置への墓参り手順を示すフローチャートである。
【図６】第２実施形態における各部の関係を示すブロック図である。
【図７】第２実施形態における端末装置の表示画面の一例を示す。
【図８】本発明の第２実施形態による立体墓地装置への墓参り手順を示すフローチャートである。
【図９】第３実施形態における端末装置の表示画面の一例を示す。
【発明を実施するための形態】
【００１８】
本発明の好ましい実施形態を図面に基づいて説明する。なお、各図において共通する部分には同一の符号を付し、重複した説明を省略する。
【００１９】
［既存の立体駐車装置］
図１は、本発明が適用可能な既設の立体駐車装置１０の構成例を示す。図２は、図１のＩＩ−ＩＩ矢視図である。
【００２０】
本発明が適用可能な既設の立体駐車装置１０は、自動車１が積載される複数のパレット３と、複数のパレット３（すなわち、複数の自動車１）を収容可能な車両収容部５と、車両収容部５から入庫スペース７へ且つその逆に（すなわち、入庫スペース７から車両収容部５へ）パレット３を移動させる搬送装置９と、搬送装置９を制御する制御装置１１とを備える。
【００２１】
車両収容部５は、図１の例では、複数の駐車棚６上の格納位置である。駐車棚６は、リフト１３が昇降する昇降路１５の両側において昇降路１５に隣接して多段に設けられている。各駐車棚６上の格納位置５には、自動車１が積載可能なパレット３が設けられている。
【００２２】
入庫スペース７は、駐車装置１０の外部から自動車１が自走して乗り入れ可能なスペースである。駐車装置１０の外部から入庫口８を通って自動車１が入庫スペース７へ進入するようになっている。入庫スペース７は、図２のように、駐車装置１０の内壁面１６により区画されており、内壁面１６の一部に入庫口８が形成されている。
【００２３】
搬送装置９は、リフト１３を昇降駆動するリフト駆動装置１７と、リフト１３と駐車棚６上の格納位置５との間でパレット３を水平方向に横行させる横行駆動装置１９とを備える。
【００２４】
制御装置１１は、搬送装置９の動作を制御する。すなわち、制御装置１１は、入庫スペース７から車両収容部５へ且つその逆に、パレット３と共に該パレット３上の自動車１を搬送装置９が搬送するように搬送装置９を制御する。
【００２５】
リフト駆動装置１７は、複数のワイヤ１７ａと、複数のワイヤ１７ａが巻かれたドラム１７ｂと、ワイヤ駆動装置１７ｃとを備える。各ワイヤ１７ａの一端部がリフト１３に結合され、各ワイヤ１７ａの他端側部分がドラム１７ｂに巻かれている。ワイヤ駆動装置１７ｃはドラム１７ｂを回転駆動することにより、各ワイヤ１７ａをドラム１７ｂからリフト１３側へ巻き出し、または、リフト１３側へ延びている各ワイヤ１７ａをドラム１７ｂに巻き付ける。これにより、各ワイヤ１７ａが鉛直方向に駆動される。その結果、リフト１３が昇降する。
【００２６】
横行駆動装置１９は、一例では、各駐車棚６に設けられ回転駆動される複数の横行ローラ１９ａと、リフト１３に設けられ回転駆動される複数の横行ローラ１９ｂとを有する。リフト１３の高さを、対象の駐車棚６の高さに合わせた状態で、横行ローラ１９ａ、１９ｂを回転駆動することにより、リフト１３上に、対象の駐車棚６上の格納位置５からパレット３が移動させられ、リフト１３上のパレット３を対象の駐車棚６に移動して戻すことができる。
【００２７】
このような構成において、リフト１３上のパレット３が入庫スペース７の床面と同じ高さにある状態で、自動車１がこのパレット３に乗り入れる。その後、制御装置１１の制御により、リフト１３が対象の駐車棚６の高さへ移動し、横行駆動装置１９がリフト１３から対象の駐車棚６上の格納位置５へパレット３を横行させる。これにより、パレット３上の自動車１が、パレット３と共に対象の駐車棚６上の格納位置５へ移動させられ、この格納位置５に出庫時まで格納される。
【００２８】
出庫時には、駐車装置１０の利用者が、駐車装置１０の制御装置１１に対して自身の自動車１を出庫させる旨を入力する。制御装置１１の制御により、搬送装置９が、対象の駐車棚６の高さへリフト１３を昇降する。次いで、制御装置１１の制御により、横行駆動装置１９が、対象の駐車棚６からリフト１３へ、自動車１が積載されたパレット３を横行させる。制御装置１１の制御により、リフト１３が出庫スペース（図３では、入庫スペース７と同じ）へ昇降する。出庫スペースへ移動してきた自動車１に人が乗り込む。人の運転で、この自動車１がパレット３から乗り出して出庫する。
【００２９】
［改造後の立体墓地装置］
（第１実施形態）
図３は、上述した既設の立体駐車装置１０を改造することにより構成された第１実施形態による立体墓地装置２０の構成例を示す。図４は、図３のＩＶ−ＩＶ矢視図である。
【００３０】
立体墓地装置２０は、既設の立体駐車装置１０における複数のパレット３と車両収容部５と搬送装置９を備える。なお、立体墓地装置２０は、以下で述べる点を除いて、既設の立体駐車装置１０と同じ構成を有していてよい。
【００３１】
立体墓地装置２０では、車両収容部５には、複数の利用者の墓用構造物２（例えば墓石）が収容されている。図３の例では、車両収容部５としての複数の格納位置５にそれぞれ収容された複数のパレット３に、それぞれ、複数の利用者の墓用構造物２（例えば墓石）が設けられている。
墓用構造物２は、好ましくは、墓用パレット２ａと、墓用パレット２ａ上に設けた墓構成体２ｂとを含む。墓構成体２ｂは、例えば墓石または墓標を含む。墓構成体２ｂに納骨されていてよい。
なお、墓用構造物２は、墓用パレット２ａを有していなくてもよい。この場合、墓用構造物２の墓構成体２ｂは、パレット３に設けられる。
【００３２】
搬送装置９は、車両収容部５から入庫スペース７へ且つその逆にパレット３を移動させる。この時、パレット３上の墓用構造物２は、このパレット３と共に、車両収容部５から入庫スペース７へ且つその逆に移動する。
【００３３】
なお、すべてのパレット３の各々に、墓用構造物２が設置されていてもよいし、すべてのパレット３の一部である複数のパレット３の各々に、墓用構造物２が設置されていてもよい。後者の場合、墓用構造物２を設置しないパレット３に、既設の駐車装置１０と同様に自動車１を載せて格納位置５で格納してもよい。
【００３４】
立体墓地装置２０は、上述した制御装置１１の代わりに、搬送装置９を制御する制御装置１２を備える。
また、立体墓地装置２０は、図４に示すように入力装置２１と記憶装置２３を備える。入力装置２１は、立体墓地装置２０へお墓参りに来た利用者の識別情報の入力を受ける。記憶装置２３は、立体墓地装置２０の利用者毎の識別情報と、この識別情報に対応する墓用構造物２の格納位置５とを互いに関連づけた対応データを記憶している。
【００３５】
入力装置２１は、利用者の識別情報の入力を受けると、この識別情報を制御装置１２へ出力する。これにより、制御装置１２は、入力装置２１からの識別情報に対応する墓用構造物２を車両収容部５から入庫スペース７へ移動させるように搬送装置９を制御する。すなわち、制御装置１２は、入力装置２１から受けた識別情報と、記憶装置２３に記憶されている対応データとに基づいて、受けた識別情報に対応する格納位置５を特定する。制御装置１２は、特定した格納位置５におけるパレット３と当該パレット３上の墓用構造物２（すなわち、入力装置２１から受けた識別情報に対応する墓用構造物２）を、入庫スペース７へ移動させるように搬送装置９を制御する。
【００３６】
一例では、入力装置２１は、人に操作されることにより、この操作で特定された識別情報の入力を受ける。この場合、入力装置２１は、例えばタッチパネルであってよいが、これに限定されない。
あるいは、入力装置２１は、利用者が携帯するＲＦタグ（例えばＩＣタグやＩＣカードなど）に記憶された識別情報を近距離無線通信で読み取ることにより、識別情報の入力を受ける装置であってもよい。なお、利用者が、ＲＦタグを入力装置２１に近づけた場合に（例えば、ＲＦタグを入力装置２１から数ｃｍ以内の範囲に位置させた場合に）、入力装置２１は、ＲＦタグに記憶された識別情報を読み取る。
【００３７】
入力装置２１は、好ましくは、入庫スペース７の外部であって入庫口８の近傍に設けられている。なお、立体墓地装置２０では、入庫スペース７は、お墓参りスペースとなっており、入庫口８は、お墓参りスペースへの入り口になっている。
【００３８】
図５は、上述した第１実施形態による立体墓地装置２０への墓参り手順を示すフローチャートである。
【００３９】
ステップＳ１において、利用者は、立体墓地装置２０の入庫口８の手前に行き、入庫スペース７において他の利用者がお墓参りをしていないことを確認する。
【００４０】
ステップＳ２において、利用者は、自身の識別情報の入力装置２１への入力を行う。また、ステップＳ２において、入力装置２１は、受けた識別情報を制御装置１２へ出力する。
ステップＳ３において、制御装置１２は、ステップＳ２で入力装置２１から受けた識別情報と、記憶装置２３に記憶されている対応データとに基づいて、受けた識別情報に対応する格納位置５を特定する。
ステップＳ４において、制御装置１２は、ステップＳ３で特定した格納位置５の墓用構造物２を、入庫スペース７へ移動させるように搬送装置９を制御する。
【００４１】
ステップＳ５において、利用者は、入庫スペース７に移動してきた墓用構造物２に対してお墓参りをする。
【００４２】
ステップＳ６において、お墓参りを終えた利用者は、入庫スペース７から入庫口８を通って退出する。この時、入庫口８の近傍であって入庫スペース７の外部に設けられた適宜の操作装置を操作することにより、お墓参りが完了した旨を入力する。この入力は、墓参り完了信号として制御装置１２に受けられる。
【００４３】
ステップＳ７において、制御装置１２は、墓参り完了信号を受けると、入庫スペース７の墓用構造物２を元の格納位置５へ移動させる。
【００４４】
［第２実施形態］
図６は、立体墓地装置２０に設けられた墓参り予約受付装置２５、スケジュール記憶装置２７および予約状況通知装置２８と、利用者の端末装置２９との関係を示すブロック図である。第２実施形態による立体墓地装置２０は、第１実施形態による立体墓地装置２０の構成に加えて、墓参り予約受付装置２５、スケジュール記憶装置２７、および予約状況通知装置２８を備える。第２実施形態において、以下で説明しない点は、上述の第１実施形態と同じであってよい。
【００４５】
第２実施形態では、立体墓地装置２０の各利用者が、立体墓地装置２０の近くに住んでいることを想定している。例えば、立体墓地装置２０が、マンションに設けられた立体駐車装置１０を改造したものであり、立体墓地装置２０の複数の（多くの）利用者が、このマンションの住人である。
第２実施形態では、立体墓地装置２０への墓参りが可能な最も早い時刻に、墓参りを予約できるようになっている。
【００４６】
墓参り予約受付装置２５は、立体墓地装置２０への墓参りの予約を利用者から受ける。例えば、利用者は、端末装置２９を操作することにより墓参りの予約申込データを入力する。端末装置２９は、利用者の家（住戸）に設けられたもの（例えばパーソナルコンピュータ）であってもよいし、スマートフォンであってもよいし、他のものであってもよい。端末装置２９は、例えばタッチパネルとして機能する表示部を有していてよい。利用者は、このタッチパネルを操作することにより墓参りの予約申込データを入力する。図７は、この表示部の画面２９ａにおける表示の一例を示す。予約申込データは、例えば、図７において破線で囲まれた領域（符号Ｄの領域）内に表わされたデータであってよい。
【００４７】
予約申込データは、利用者の識別情報を含む。予約申込データに含まれる識別情報は、利用者による端末装置２９の操作により特定される。図７の場合、上述の識別情報は、利用者のお墓が設置されている墓用構造物２の格納位置５を示す番号（棚番号）である。この番号は、端末装置２９の画面２９ａにおけるテンキータッチパネル３７により入力されてよい。
【００４８】
予約申込データは、墓参りに要する時間（例えば、１５分）を含んでもよい。なお、  墓参りに要する時間を、以下、墓参り時間という。
墓参り時間として、複数長さの時間の中からいずれかのみが特定可能であってもよい。例えば、図７に示すように、標準時間を示す第１の操作部３３、標準時間より長い時間を示す第２の操作部３４、標準時間より短い時間を示す第３の操作部３５が表示部に表示され、利用者は、これらの第１〜第３の操作部３３〜３５のいずれかを操作する（押す）ことにより、端末装置２９は、操作した操作部３３，３４，または３５が示す時間を、予約申込データの一部である墓参り時間として入力する。
代わりに、予約申込データに含まれる墓参り時間は、利用者が端末装置２９を操作することにより特定されて入力されてもよい。
【００４９】
入力された予約申込データは、利用者が端末装置２９を操作することにより、端末装置２９からネットワーク３１を介して墓参り予約受付装置２５へ送信される。
【００５０】
墓参り予約受付装置２５は、利用者から送信された予約申込データを受ける。墓参り予約受付装置２５は、受けた予約申込データを、スケジュール記憶装置２７に記憶されている墓参りスケジュールに組み入れる。
【００５１】
墓参りスケジュールには、墓参り予約受付装置２５が受けた予約申込データが組み入れられている。墓参り予約受付装置２５は、各利用者の端末装置２９から予約申込データを受ける度に、この予約申込データの墓参り時間を、墓参りスケジュールにおいて既に組み入れられている予約時間帯の直後に組み入れる。ここで、複数の予約時間帯が既に組み入れられている場合には、墓参り予約受付装置２５は、予約申込データを受ける度に、この予約申込データの墓参り時間を、墓参りスケジュールにおいて既に組み入れられている最後の予約時間帯の直後に組み入れる。なお、墓参りスケジュールに組み入れられた時間に関して隣接する２つの予約時間帯のうち、先の予約時間帯の終了時点と後の予約時間帯の開始時点との時間差は、入庫スペース７と格納位置５との間での墓用構造物２の移動時間を考慮して適宜の値（例えば数分）に設定されていてよい。
予約申込データが墓参りスケジュールに予約時間帯として組み入れられた場合、この予約申込データの識別情報は、この予約時間帯に対応づけてスケジュール記憶装置２７に記憶される。
【００５２】
なお、利用者は、墓参りスケジュールに組み入れられた自身の予約申込データを取り消すための操作を端末装置２９に対して行ってもよい。この操作により、墓参りスケジュールから該当する予約申込データが削除される。
【００５３】
予約状況通知装置２８は、スケジュール記憶装置２７に記憶されている墓参りスケジュールに基づく予約状況データを作成し、予約状況データを、ネットワーク３１を介して利用者の端末装置２９に送信する。この予約状況データ３９は、端末装置２９の表示部（例えば図７の表示部の画面２９ａ）に表示される。
【００５４】
予約状況データ３９は、次に墓参りが可能となる時刻を示す利用可能時刻データ（例えば、この時刻、または、現時点から、この時刻までの待ち時間）を含む。なお、次に墓参りが可能となる時刻は、墓参りスケジュールにおいて既に組み入れられている最後の予約時間帯の直後の時刻であってよい。予約状況データ３９は、さらに、図７に示すように現在において墓参り中であるかどうかを示す情報も含んでいてもよい。
【００５５】
新たな予約申込データが墓参りスケジュールに組み入れられる度に、かつ、墓参りスケジュールから予約申込データが削除される度に、予約状況通知装置２８は、最新の墓参りスケジュールに基づいて最新の予約状況データ３９を作成し、最新の予約状況データ３９を、適宜のネットワーク３１を介して各利用者の端末装置２９に送信する。
予約状況通知装置２８は、最新の予約状況データ３９を上述のように各利用者の端末装置２９に送信する代わりに、最新の予約状況データ３９を、インターネット上の指定サイトにアップロードしてもよい。この場合、各利用者は、端末装置２９を操作することにより、端末装置２９が、指定サイトにアクセスして指定サイトにアップロードされた最新の予約状況データ３９をダウンロードし、端末装置２９の表示部（例えば図７の表示部の画面２９ａ）に最新の予約状況データ３９を表示させてよい。
【００５６】
図８は、上述した第２実施形態による立体墓地装置２０への墓参り手順を示すフローチャートである。
【００５７】
ステップＳ１１において、利用者は、自身の端末装置２９の表示部に表示された最新の予約状況データ３９（待ち時間）を見て、端末装置２９を操作することにより、予約申込データを入力して墓参り予約受付装置２５へ送信する。これにより、この予約申込データが、スケジュール記憶装置２７における墓参りスケジュールに組み入れられる。
【００５８】
第２実施形態では、ステップＳ１において、利用者は、利用可能時刻データに合わせた時刻に、立体墓地装置２０の入庫口８の手前に行く。この時、入庫スペース７において他の利用者がお墓参りをしていないことを利用者が確認する必要はない。
ステップＳ１の後は、第１実施形態と同様に、ステップＳＳ２が行われる。
【００５９】
ステップＳ２の次にステップＳ１２を行う。ステップＳ１２において、制御装置１２は、ステップＳ２で受けた識別情報と、スケジュール記憶装置２７に記憶されている墓参りスケジュールに組み入れられている予約時間帯であって現在の時刻に相当する予約時間帯の識別情報（すなわち、予約時間帯に対応づけられた識別情報。以下同様）とが同じ利用者のものであるかを判断し、この判断の結果が否定である場合には、搬送装置９を動作させない。ここで、「現在の時刻に相当する予約時間帯」とは、この予約時間帯の開始時点と現在の時刻とのずれが、設定値（例えば、１０分以内の値）以内である予約時間帯を意味してよい。
【００６０】
ステップＳ２で受けた識別情報と、予約申込データの識別情報の種類が同じである場合には（例えば、両識別情報が上述の棚番号である場合）、ステップＳ１２において、ステップＳ２で受けた識別情報が現在の時刻に相当する予約時間帯の識別情報と一致するときには、両識別情報が同じ利用者のものであると判断される。
ステップＳ２で受けた識別情報と、予約申込データの識別情報の種類が異なる場合には（例えば、前者が上述の棚番号以外の情報で、後者が上述の棚番号である場合）、ステップＳ１２において、ステップＳ２で受けた識別情報と、現在の時刻に相当する予約時間帯の識別情報とが同じ利用者のものであるか（すなわち、互いに対応するか）どうかが適宜の参照データ（すなわち、両識別情報を対応づける情報）に基づいて判断される。
【００６１】
ステップＳ１２の判断の結果が肯定である場合には、第１実施形態と同様にステップＳ３〜Ｓ７が行われる。
【００６２】
（第３実施形態）
第３実施形態による立体墓地装置２０は、以下で述べる点が第２実施形態と異なり、他の点は第２実施形態と同じである。
【００６３】
第３実施形態では、利用者が、立体墓地装置２０から離れた地域に住んでいてもよい。
第３実施形態では、立体墓地装置２０への墓参り日時を選んで、墓参りを予約できるようになっている。
【００６４】
第３実施形態では、利用者は、端末装置２９を操作することにより入力する予約申込データは、立体墓地装置２０へ墓参りする日時（すなわち、日にちと時刻）と、利用者の識別情報を含む。図９は、第３実施形態の場合における端末装置２９の画面２９ａの一例を示す。
【００６５】
なお、第３実施形態において、予約申込データは、第２実施形態と同様に、墓参り時間を含んでもよい。墓参り時間として、複数長さの時間の中からいずれかのみが特定可能であってもよい。例えば、図７に示すように、標準時間を示す第１の操作部３３、標準時間より長い時間を示す第２の操作部３４、標準時間より短い時間を示す第３の操作部３５が表示部に表示される。利用者は、これらの第１〜第３の操作部３３〜３５のいずれかを操作する（押す）ことにより、端末装置２９は、操作した操作部３３，３４または３５が示す時間を、予約申込データの一部である墓参り時間として入力する。代わりに、墓参り時間は、利用者が端末装置２９を操作することにより入力されてよい。
【００６６】
第３実施形態において、予約申込データは、第２実施形態と同様に、利用者の識別情報を含む。この識別情報は、利用者のお墓が設置されている墓用構造物２の格納位置５を示す番号（例えば棚番号）であってよく、第２実施形態と同様に、テンキータッチパネル３７により入力されてよい。
【００６７】
入力された予約申込データは、利用者が端末装置２９を操作することにより、端末装置２９からネットワーク３１を介して墓参り予約受付装置２５へ送信される。
【００６８】
墓参り予約受付装置２５は、利用者から送信された予約申込データを受ける。墓参り予約受付装置２５は、受けた予約申込データを、スケジュール記憶装置２７に記憶されている墓参りスケジュールに組み入れる。
【００６９】
墓参りスケジュールには、墓参り予約受付装置２５が受けた予約申込データが組み入れられている。墓参りスケジュールは、各利用者からの予約申込データが示す日にちと、当該日にちにおける予約時間帯とを含むデータである。予約時間帯は、予約された墓参りの時間帯（例えば、午後１時〜午後１時２０分）であって、予約申込データにおける「墓参りする日時」の時刻と「墓参り時間」とにより特定される。
【００７０】
墓参りスケジュールは、予約申込データにおける識別情報を含む。墓参りスケジュールにおいて、予約時間帯毎に、予約時間帯と予約申込データの識別情報とが互いに対応付けられている。
【００７１】
予約状況通知装置２８は、この墓参りスケジュールに基づく最新の予約状況データ３９を作成し、第２実施形態と同様に、最新の予約状況データ３９を、上述のように各利用者の端末装置２９に送信し、または、インターネット上の指定サイトにアップロードする。
【００７２】
予約状況データ３９は、スケジュール記憶装置２７に記憶されている墓参りスケジュールにおいて各利用者の識別情報を省略した利用可能日時データであってよい。利用可能日時データは、例えば、図９に示すように、墓参りが未予約の日時を表わすものであってよい。
【００７３】
第３実施形態では、最新の予約状況データ３９が第２実施形態と同じ方法で端末装置２９の表示部に表示され、利用者は、図８のステップＳ１１において、当該予約状況データ３９を見て、端末装置２９を操作することにより、予約状況データ３９において予約時間帯が存在していない日時で予約申込データを入力して墓参り予約受付装置２５へ送信する。これにより、この予約申込データが、スケジュール記憶装置２７における墓参りスケジュールに組み入れられる。
【００７４】
その後は、第２実施形態と同じ処理が行われる。ただし、第３実施形態では、ステップＳ１において、利用者は、自身が入力した予約申込データの日時に、立体墓地装置２０の入庫口８の手前に行く。
【００７５】
（実施形態による効果）
上述した第１〜第３実施形態によると、既設の立体駐車装置１０に設けられた車両収容部５に複数の利用者の墓用構造物２を設置し、利用者の識別情報が入力されると、制御装置１２は、搬送装置９を制御することにより、入力装置２１からの識別情報に対応する墓用構造物２を車両収容部５から入庫スペース７へ移動させる。
したがって、利用者は、入庫スペース７へ移動してきた墓用構造物２に対して墓参りできる。
このように既設の立体駐車装置１０を有効活用できるので、需要が減った立体駐車装置１０の解体を回避できる。また、立体駐車装置１０を民営霊苑として運用することもできる。
【００７６】
また、高齢者（例えば高齢化した団塊の世代）にとって、遠方の墓地へ供養に行くことも苦労である。これに対して、立体駐車装置１０は、住宅地からアクセスしやすい場所（例えば都心又はその近く）にある場合が多いので、立体墓地装置２０へ行く苦労が減る。
【００７７】
さらに、機械式納骨堂（例えば特開２００５−７６４４３号公報を参照）では、各利用者のスペースが小さいのに対し、立体墓地装置２０では、各利用者のスペースを大きくできる。すなわち、立体墓地装置２０では、各利用者の墓用構造物２を、自動車１を格納するスペースと同等の大きさにすることができる。
【００７８】
また、立体駐車装置１０において、車両収容部５に収容される自動車１の重量（例えば、仕様の一例では、１７００ｋｇ、１９００ｋｇまたは２３００ｋｇ）と同等の重量の墓用構造物２を設置可能である。すなわち、各利用者は、自動車１の重量と同等の重さの墓用構造物２を設置できる。例えば、２３００ｋｇ程度の自動車１を収容していた立体駐車装置１０を改造した立体墓地装置２０では、利用者は、墓用構造物２として、大理石をふんだんに使用した豪華な墓を選択できる。
【００７９】
本発明は上述した実施の形態に限定されず、本発明の要旨を逸脱しない範囲で種々変更を加え得ることは勿論である。例えば、以下の変更例１〜３のいずれかを採用してもよいし、変更例１〜３の複数を任意に組み合わせて採用してもよい。
【００８０】
（変更例１）
上述では、立体墓地装置２０は、既存の立体駐車装置１０の複数のパレット３を用いていたが、立体墓地装置２０において、各パレット３を省略し、各パレット３の代わりに上述の墓用パレット２ａを用いてもよい。この場合、墓用パレット２ａは、搬送装置９により搬送可能な構造を有する。搬送装置９は、車両収容部５から入庫スペース７へ且つその逆に、墓用パレット２ａを移動させる。この時、墓用パレット２ａ上の墓構成体２ｂは、墓用パレット２ａと共に移動する。
【００８１】
（変更例２）
上述では、既設の立体駐車装置１０は、エレベータ式の駐車装置であったが、本発明が適用可能な既設の立体駐車装置は、複数の自動車１を収容可能な車両収容部と、車両収容部から入庫スペースへ且つその逆に自動車１を移動させる搬送装置とを備えるものであればよい。例えば、本発明が適用可能な既設の立体駐車装置は、二・多段式駐車装置、フォーク式駐車装置、またはタワー駐車装置（垂直循環式駐車装置）であってもよい。
【００８２】
フォーク式駐車装置を改造した立体墓地装置の場合には、入庫スペース７と車両収容部５との間で搬送される自動車１が上述の墓用パレット２ａと置き換えられる。すなわち、搬送装置は、自動車１の代わりに墓用パレット２ａを移動させることにより、墓用パレット２ａと共に該墓用パレット２ａ上の墓構成体２ｂを、車両収容部から入庫スペースへ且つその逆に移動させる。
【００８３】
（変更例３）
なお、上述した入庫スペースは、複数存在してもよい。
【符号の説明】
【００８４】
１  自動車、２  墓用構造物、２ａ  墓用パレット、２ｂ  墓構成体、３  パレット、５  車両収容部（格納位置）、６  駐車棚、７  入庫スペース、８  入庫口、９  搬送装置、１０  立体駐車装置、１１  制御装置、１２  制御装置、１３  リフト、１５  昇降路、１６  内壁面、１７  リフト駆動装置、１７ａ  ワイヤ、１７ｂ  ドラム、１７ｃ  ワイヤ駆動装置、１９  横行駆動装置、１９ａ  横行ローラ、１９ｂ  横行ローラ、２０  立体墓地装置、２１  入力装置、２３  記憶装置、２５  墓参り予約受付装置、２７  スケジュール記憶装置、２８  予約情報通知装置、２９  端末装置、２９ａ  画面、３１  ネットワーク、３３，３４，３５  操作部、３７  テンキータッチパネル、３９  予約状況データ
【図１】
2017031736.tif 000003
【図２】
2017031736.tif 000004
【図３】
2017031736.tif 000005
【図４】
2017031736.tif 000006
【図５】
2017031736.tif 000007
【図６】
2017031736.tif 000008
【図７】
2017031736.tif 000009
【図８】
2017031736.tif 000010
【図９】
2017031736.tif 000011